(57)【要約】【課題】仕向地が変更された場合、交換作業が容易な表示装置を提供する。【解決手段】第１開口部４９が形成された箱状の本体４３と、前記本体４３内に配置された液晶パネル１７と、前面側に、所定形状の導電ピン４５又は導電筒が形成され、前記液晶パネル１７用の電源を供給するための第１コネクタ３１と前記第１コネクタ３１の後面側が前記第１開口部４９を介して、前記本体４３の内部へ突出する様に、前記第１コネクタ３１を固定する第１固定板４４とを備え前記第１コネクタ３１の前面側が露出する様に、前記第１固定板４４は前記本体４３に対し、着脱自在に固定された。【選択図】        図３
2004328612.tif 000002
【特許請求の範囲】
【請求項１】
第１開口部が形成された箱状の本体と、前記本体内に配置された液晶パネルと、前面側に、所定形状の導電ピン又は導電筒が形成され、前記液晶パネル用の電源を供給するための第１コネクタと、前記第１コネクタの後面側が前記第１開口部を介して、前記本体の内部へ突出する様に、前記第１コネクタを固定する第１固定板とを備え、前記第１コネクタの前面側が露出する様に、前記第１固定板は前記本体に対し、着脱自在に固定された事を特徴とする表示装置。
【請求項２】
前記第１コネクタに電気的接続された電源スイッチを設け、前記電源スイッチの後面側が前記第１開口部を介して前記本体の内部へ突出する様に、前記第１固定板は前記電源スイッチを固定し、前記電源スイッチの前面側が露出する様に、前記第１固定板は前記本体に対し、着脱自在に固定された事を特徴とする請求項１の表示装置。
【請求項３】
前記本体に第１立壁部が形成され、前記第１開口部は前記第１立壁部に形成され、前記第１固定板は、第１水平部と第１垂直部と爪と第２開口部と第３開口部が形成され、前記第１コネクタは前記第２開口部に挿入され固定され、前記電源スイッチは前記第３開口部に挿入され固定され、前記第１水平部は第１締結部品により前記本体の後部に固定され、前記爪は、前記第１開口部近傍に位置する前記第１立壁部に挟まれ固定された事を特徴とする請求項２の表示装置。
【請求項４】
前記本体に第４開口部が形成され、前面側に、所定形状の第２導電筒が形成され、前記第１コネクタに電気的接続された第２コネクタを設け前記第２コネクタの後面側が前記第４開口部を介して前記本体の内部へ突出する様に、前記第２コネクタを固定する第２固定板とを備え、前記第２コネクタの前面側が露出する様に、前記第２固定板は前記本体に対し、着脱自在に固定された事を特徴とする請求項１の表示装置。
【請求項５】
前記本体に第２立壁部が形成され、前記第４開口部は前記第２立壁部に形成され、前記第２固定板は第２水平部と第２垂直部と折曲部と第５開口部が形成され、前記第２コネクタは前記第５開口部に挿入され固定され、前記第２水平部は前記第２締結部品により前記本体の後部に固定され、前記折曲部は、前記第４開口部近傍に位置する前記第２立壁部の内面に当接して固定された事を特徴とする請求項４の表示装置。
【発明の詳細な説明】
【０００１】
【発明の属する技術分野】
本発明は表示装置に関する。
【０００２】
【従来の技術】
従来、この種の表示装置は例えば、特許文献１に示されている。この特許文献１によると、仕向地の商用電源電圧を示す銘板がケーシングの表面の取り付けられている。そして、ケーブルセット（電源プラグとケーブルと雄コネクタからなる）の雄コネクタを、本体に取り付けられた雌コネクタに挿入した後、本体にケーシングをかぶせ、１０数個の小ネジにて締結している。
【０００３】
【特許文献１】
特開平６−１５１０２３号公報
【０００４】
【発明が解決しようとする課題】
しかし、仕向地により、電源プラグのピンの形状や、ピン同士のピッチは異なる。そのため、仕向地が変更された場合は、１０数個の小ネジを外し、仕向地に合ったケーブルセットを交換し、再び１０数個の小ネジを締結する、という煩雑な交換作業が必要となる欠点がある。そこで、本発明はこの様な欠点を考慮して仕向地が変更された場合、交換作業が容易な表示装置を提供する。
【０００５】
【課題を解決するための手段】
上記課題を解決するために、請求項１の本発明では、第１開口部が形成された箱状の本体と、前記本体内に配置された液晶パネルと、前面側に、所定形状の導電ピン又は導電筒が形成され、前記液晶パネル用の電源を供給するための第１コネクタと、前記第１コネクタの後面側が前記第１開口部を介して、前記本体の内部へ突出する様に、前記第１コネクタを固定する第１固定板とを備え、前記第１コネクタの前面側が露出する様に、前記第１固定板は前記本体に対し、着脱自在に固定された。
【０００６】
請求項２の本発明では、前記第１コネクタに電気的接続された電源スイッチを設け、前記電源スイッチの後面側が前記第１開口部を介して前記本体の内部へ突出する様に、前記第１固定板は前記電源スイッチを固定し、前記電源スイッチの前面側が露出する様に、前記第１固定板は前記本体に対し、着脱自在に固定された。
【０００７】
請求項３の本発明では、前記本体に第１立壁部が形成され、前記第１開口部は前記第１立壁部に形成され、前記第１固定板は、第１水平部と第１垂直部と爪と第２開口部と第３開口部が形成され、前記第１コネクタは前記第２開口部に挿入され固定され、前記電源スイッチは前記第３開口部に挿入され固定され、前記第１水平部は第１締結部品により前記本体の後部に固定され、前記爪は、前記第１開口部近傍に位置する前記第１立壁部に挟まれ固定された。
【０００８】
請求項４の本発明では、前記本体に第４開口部が形成され、前面側に、所定形状の第２導電筒が形成され、前記第１コネクタに電気的接続された第２コネクタを設け、前記第２コネクタの後面側が前記第４開口部を介して前記本体の内部へ突出する様に、前記第２コネクタを固定する第２固定板とを備え、前記第２コネクタの前面側が露出する様に、前記第２固定板は前記本体に対し、着脱自在に固定された。
【０００９】
請求項５の本発明では、前記本体に第２立壁部が形成され、前記第４開口部は前記第２立壁部に形成され、前記第２固定板は第２水平部と第２垂直部と折曲部と第５開口部が形成され、前記第２コネクタは前記第５開口部に挿入され固定され、前記第２水平部は前記第２締結部品により前記本体の後部に固定され、前記折曲部は、前記第４開口部近傍に位置する前記第２立壁部の内面に当接して固定された。
【００１０】
【発明の実施の形態】
最初に、図１に従い、本発明の実施の形態に係る表示装置１につき、主に、電気的構成を説明する。図１は表示装置１のブロック図である。
【００１１】
図１において、入力手段２はコネクタ等からなり、例えば、ＤＶＤプレイヤ（図示せず）に接続され、映像信号が入力される。入力手段２は、この映像信号から画像信号Ｒ，Ｇ，Ｂと、同期信号ＨＤ／ＣＳＹＮＣ，ＶＤを出力する。
【００１２】
Ｄ端子３は、ＤＶＤプレイヤに接続され、高品質映像信号ＹＰｂＰｒを出力する。端子４は、コンポジットビデオ信号ＣＶＢＳを出力し、端子５は色信号Ｙ／Ｃ等を出力する。
【００１３】
セレクタ６は、コントロール回路７からの制御信号により、上記映像信号Ｒ，Ｇ，Ｂ又は高品質映像信号ＹＰｂＰｒを選択し、その選択した映像信号を、ビデオデコーダ８へ出力する。このセレクタ６と、コントロール回路７等により、コンポーネント基板９は構成されている。
【００１４】
ビデオデコーダ８には、コンポジット信号ＣＶＢＳと、色信号Ｙ／Ｃと、選択された映像信号と、同期信号ＨＤ／ＣＳＹＮＣ等が入力される。ビデオデコーダ８は、符号化されたデータを、元のデータに戻し、ＡＤ変換器を内臓している。
【００１５】
ディンタレーサ１０は、ビデオデコーダ８が出力するＯＤＤ信号と、ＥＶＥＮ信号を合成するもので、その合成信号をスケーラ１１へ出力する。これらのビデオデコーダ８と、ディンタレーサ１０等により、ビデオ基板１２は構成されている。
【００１６】
入力手段１３は、コネクタ等からなり、パソコンに接続され、映像信号が入力されると、入力手段１３は、この映像信号から、画像信号Ｒ，Ｇ，Ｂと、同期信号ＨＤ，ＶＤをセレクタ１４へ出力する。
【００１７】
データ変換器１５は、セレクタ１４からの入力を、ディジタル信号に変換し、スケーラ１１へ出力する。即ち、データ変換器１５は、画像信号Ｒ，Ｇ，Ｂ及び同期信号ＨＤ，ＶＤ等が入力され、ディジタル変換され、ディジタル信号を出力する。また、データ変換器１５はスケーラ１１に対し、ドットクロック信号も出力する。
【００１８】
スケーラ１１は例えば、マイクロコンピュータ等を内蔵するＩＣ（集積回路素子）である。スケーラ１１は、画像信号Ｒ，Ｇ，Ｂから変換されたディジタル信号を、液晶パネル１７の画像サイズ（例えば、ＷＸＧＡ）に従い、画像データに変換するものである。この様にして、スケーラ１１は伝送器６に対し、上記画像データを出力する。
【００１９】
伝送器１６は、入力された画像データを、低レベル差動伝送信号ＬＶＤＳ（Ｌｏｗ  Ｖｏｌｔａｇｅ  Ｄｉｆｆｅｒｅｎｔｉａｌ  Ｓｉｇａｎａｌ）に変換し液晶パネル１７に対し、上記信号ＬＶＤＳを出力する。即ち、伝送器１６は、画像データが入力され、液晶パネル１７に対し、伝送信号ＬＶＤＳを出力するものである。
【００２０】
これらの基板と、データ変換器１５と、スケーラ１１と、伝送器１６と、ＤＣ−ＤＣコンバータ１８と、冷却ファン制御部１９等により、基板組み立て品２０が構成されている。また、基板２０ａには、セレクタ１４が配置されている。液晶パネル１７は、液晶表示器と、複数のバックライト（共に、図示せず）から構成されている。
【００２１】
ケーブルセット２７には、電源プラグ２８と、ケーブル２９と、コネクタ３０等からなる。電源プラグ２８は、仕向地Ａの仕様に合わせて、例えば、所定のピッチ（間隔）を置いて、２個の第１導電ピン（丸棒状）を有している。
【００２２】
ケーブル２９は、被覆された２本のリード線からなる。ケーブル２９の各リード線の１端は、電源プラグ２８の各第１導電ピンに接続されている。ケーブル２９の各リード線の他端は、コネクタ３０の各第１導電筒に接続されている。
【００２３】
第１コネクタ３１は、所定形状（例えば、円柱形）をした２個の導電ピン４５を有している。第１コネクタ３１において、２個の導電ピン４５の周囲には、各々中空部４５ａが形成されている（図３参照）。
【００２４】
また、第１コネクタ３１は、所定形状（例えば、円筒形）をした複数個の導電筒を有しても良い。また、上述の説明と異なり、必要に応じて、第１コネクタ３１は３個の導電ピン（円柱状）を有しても良い。
【００２５】
コネクタ３０の導電筒は、前面から突出する様に形成されている。コネクタ３０に設けられ、突出した導電筒は、第１コネクタ３１の中空部４５ａに挿入される事により、上記導電筒と第１コネクタ３１の導電ピン４５は電気的接続される様に、構成されている。
【００２６】
第１コネクタ３１と、コネクタ回路２２との間には、２本のリード線（図１では、１本のみを図示）が配線されている。
【００２７】
第２コネクタ３２は例えば雌コネクタからなり、所定形状（例えば円筒形）をした２個の第２導電筒３２ａを有している。第２コネクタ３２の各第２導電筒３２ａのピッチは例えば、電源プラグ２８の各第１導電ピンのピッチと同一になる様に、設けられている。
【００２８】
第２コネクタ３２と、コネクタ回路２２との間には、２本のリード線（図１では、１本のみを図示）が配線されている。電源スイッチ３３と、コネクタ回路２２との間には、２本のリード線が配線されている。
【００２９】
コネクタ回路２２において、第２コネクタ３２に接続された１側のリード線は第１コネクタ３１に接続された１側のリード線に接続されている。また、第２コネクタ３２に接続された他側のリード線は、第１コネクタ３１に接続された他側のリード線に接続されている。この様にして、第２コネクタ３２は第１コネクタ３１に電気的接続されている。
【００３０】
コネクタ回路２２において、電源スイッチ３３に接続された１側のリード線は第１コネクタ３１に接続された１側のリード線に接続されている。
【００３１】
コネクタ回路２２と、電源基板２３との間には、２本のリード線が配線されている（図１では、１本のみを図示）。上記リード線の中で、１側のリード線は、第１コネクタ３１に接続された他側のリード線に接続されている。上記リード線の中で、他側のリード線は、電源スイッチ３３に接続された他側のリード線に接続されている。
【００３２】
同様に、コネクタ回路２２と、電源基板２４との間には、２本のリード線が配線されている（図１では、１本のみを図示）。上記リード線の中で、１側のリード線は、第１コネクタ３１に接続された他側のリード線に接続されている。上記リード線の中で、他側のリード線が、電源スイッチ３３に接続された他側のリード線に接続されている。
【００３３】
この様に、電源プラグ２８の出力側は、ケーブルセット２７と、第１コネクタ３１と、コネクタ回路２２を介して、電源基板２３，２４に接続されている。電源基板２３，２４はトランスや整流回路などからなり、所定の電圧に設定された直流電圧を供給するものである。
【００３４】
電源基板２３，２４は例えば、インバータ２５，２６に対し、各々、直流電圧を供給する。インバータ２５，２６は、液晶パネル１７の各バックライトを駆動するものである。
【００３５】
電源基板２３は、ＤＣ−ＤＣコンバータ１８に対し、所定の直流電圧を供給する。
【００３６】
ＤＣ−ＤＣコンバータ１８は、液晶パネル１７と、スケーラ１１と、セレクタ６と、コントロール回路７と、ビデオデコーダ８と、ディンタレーサ１０と、セレクタ４と、データ変換器１５と、伝送器１６と、冷却ファン制御部１９等に対し、各々、電源電圧を供給する。
【００３７】
次に、主に図２に従い、この表示装置１につき、主に機械的構成を説明する。図２は、後板を外した時の、表示装置１を裏から見た図面である。
【００３８】
図２において、フレーム３４は例えばステンレス板からなり、平面から見れば略枠状に形成され、表面側および裏面側が開放された形状に形成されている。フレーム３４の裏面側の適所には、複数の折り曲げ部が形成されている。
【００３９】
第１補強板３５と第２補強板３６は共に例えば、アルミニュウムの押し出し材等からなり、断面形状が略凸状に、平面から見れば、略直方体状に形成されている。
【００４０】
第１補強板３５および第２補強板３６の各々の１端面はフレーム３４の内面に当接している。第１補強板３５および第２補強板３６の各々の他の端面も、フレーム３４の内面に当接している。この様にして、第１補強板３５および第２補強板３６は、ボルト（図示せず）等により、フレーム３４に固定されている。
【００４１】
冷却ファン３７は例えば、ファンと、ファンケーシングと、モータ等により構成されている。冷却ファン３７の左端はボルトにより、第１補強板３５に固定されている。
【００４２】
冷却ファン３８は例えば、ファンと、ファンケーシングと、モータ等により構成されている。冷却ファン３８の右端はボルトにより、第２補強板３６に固定されている。
【００４３】
取付板３９は例えば金属板等からなり、左端はボルトにより第１補強板３５に固定され、右端はボルトによりフレーム３４に固定されている。電源基板２４はスペーサ（図示せず）を介して、取付板３９上に固定されている。
【００４４】
取付板４０は例えば金属板等からなり、左端はボルトによりフレーム３４に固定されている。電源基板２３は、スペーサ（図示せず）を介して、取付板４０上に固定されている。
【００４５】
本体の後部４１は例えば金属板等からなり、左端はボルトにより第２補強板３６に固定され、右端はボルトにより第１補強板３５に固定されている。
【００４６】
液晶パネル１７は例えば、４０インチの液晶表示器と、複数のバックライト等から構成され、外形は略直方体である。液晶パネル１７は、ボルト等により、フレーム３４の内辺に固定されている。液晶パネル１７の表面側に、パッキンを介して透明板（共に図示せず）が配置されている。
【００４７】
ケーシング４２は例えば金属板等からなり、有底の箱状に形成されている。ケーシング３２の表面側には、開口部（図示せず）が形成されている。上記開口部を介して、透明板および液晶パネル１７が、使用者に対して、正面から見える様に構成されている。
【００４８】
ケーシング４２の側面には、孔が形成され、ボルトはこの孔を貫通し、フレーム３４に設けられ、ネジ切りされた孔に固定されている。ケーシング４２は、フレーム３４および液晶パネル１７を覆う様に設けられている。
【００４９】
後板（図示せず）は例えば金属板等からなり、本体の後部４１を除き、フレーム３４の裏面を覆う様に形成されている。ボルト（図示せず）は、後板に形成された孔を貫通し、フレーム３４の折り曲げ部に位置する孔に固定されている。
【００５０】
この様に、後板は、ケーシング４２の開放された裏面側に固定されている。上述した様に、これらのフレーム３４と、本体の後部４１と、後板と、ケーシング４２等により、本体４３は構成されている。
【００５１】
次に、主に図３と図４に従い、この表示装置１に用いられる第１固定板４４およびその周辺の構成を説明する。図３は図２のＡ１−Ａ２断面図、図４（ａ）は第１固定板４４の平面図、図４（ｂ）は第１固定板４４の正面図、図４（ｃ）は第１固定板４４の側面図である。
【００５２】
これらの図において、第１コネクタ３１は前面側Ｃにて、２個の導電ピン４５が形成されている。２個の導電ピン４５は所定の間隔を置いて、所定の形状（例えば、円柱状）に形成されている。必要に応じて、第１コネクタ３１は、３個の導電ピンを有しても良い（その内、１本は接地用）。
【００５３】
また、上述した様に、第１コネクタ３１は、液晶パネル１７用の電源を供給するためのものである。取付板３９の左端はボルトにより、第１補強板３５の右側に固定されている。
【００５４】
ケーシング３２の表面側には、開口部４６が形成されている。液晶パネル１７の表面側には、パッキン（図示せず）を介して、透明板４７が配置されている。こ様に、液晶パネル１７は、本体４３内に配置されている。
【００５５】
本体の後部４１は、クランク状（段付き状）に形成されている。本体の後部４１の上部は、ボルトにより、第１補強板３５の左側に固定されている。
【００５６】
本体の後部４１において、第１立壁部４８は、上部と下部をつなぐ垂直の部分である。第１開口部４９は、第１立壁部４８に形成され、略四角状の窓である。
【００５７】
本体４３は、第１開口部４９が形成された箱状のものである。本体４３（具体的には、本体の後部４１）に第１立壁部４８が形成され、第１開口部４９は第１立壁部４８に形成されている。
【００５８】
第１固定板４４は、例えば金属板等からなる。図４に示す通り、第１固定板４４は例えば、第１水平部５０と、第１垂直部５１と、爪５２，５３と、第２開口部５４と、第３開口部５５等が形成されている。
【００５９】
第１垂直部５１は第１水平部５０に対し、垂直に折り曲げられている。爪５２と５３は第１垂直部５１に対し、垂直に折り曲げられている。第２開口部５４は第１垂直部５１において、略四角形の窓に形成されている。第３開口部５５は第１垂直部５１において、略四角形の窓に形成されている。
【００６０】
爪５２と第１垂直部５１との間には、所定の距離を持つ隙間５６が形成されている。爪５３と第１垂直部５１との間には、所定の距離を持つ隙間５７が形成されている。
【００６１】
第１垂直部５１の所定の位置には、ネジ切りされた孔５８，５９が形成されている。以上の部分により、第１固定板４４は形成されている。
【００６２】
図３に示す様に、第１コネクタ３１は、第１固定板４４に形成された第２開口部５４に挿入されている。第１コネクタ３１のフランジ６０に孔（図示せず）が形成されている。ボルト（図示せず）は、上記フランジ６０の孔を貫通し、第１固定板４４に形成された孔５９にネジ止めされている。この様にして、第１コネクタ３１は第１固定板４４に固定されている。
【００６３】
電源スイッチ３３は、第１固定板４４に形成された第３開口部５５に挿入されている。電源スイッチ３３のフランジに孔（共に図示せず）が形成されている。ボルト（図示せず）は、上記フランジの孔を貫通し、第１固定板４４に形成された孔５８にネジ止めされている。この様にして、電源スイッチ３３は第１固定板４４に固定されている。
【００６４】
第１コネクタ３１および電源スイッチ３３を固定した第１固定板４４の爪５２と５３は、作業者により、本体の後部の第１立壁部４８に形成された第１開口部４９内に挿入される。
【００６５】
そして、作業者が上記第１固定板４４をＥ方向にスライドさせる（図２参照）事により、爪５２，５３は、第１開口部４９近傍に位置する第１立壁部４８に挟まれ固定される。即ち、この時、爪５２，５３と第１垂直部５１との隙間５６，５７の中に、第１立壁部４８の肉部が挟まれる。
【００６６】
次に作業者は、第１締結部品（例えば、ボルトなど）６１を、第１固定板４４の第１水平部５０に形成された孔に貫通させ、本体の後部４１に形成された孔に締結させる。即ち、第１水平部５０は、第１締結部品６１により、本体の後部４１に固定されている。
【００６７】
図３に示す様に、第１コネクタ３１の後面側Ｄが第１開口部４９を介して、本体４３の内部へ突出する様に、第１コネクタ３１を固定する第１固定板４４が設けられている。
【００６８】
そして、第１コネクタ３１の前面側Ｃが露出する様に、第１固定板４４は本体４３に対し、着脱自在に固定されている。即ち、第１固定板４４を取り付ける場合は、上述した様に、作業者は爪５２，５３を第１開口部４９内に挿入し、爪５２，５３をＥ方向にスライドさせ、第１締結部品６１を締結するだけで良い。
【００６９】
また、第１固定板４４を取り外す場合は、作業者は第１締結部品６１を外し、爪５２，５３をＦ方向にスライドさせ、第１固定板４４を前面側Ｃへ移動させるだけで良い。
【００７０】
更に、上述した様に、第１コネクタ３１に電気的接続された電源スイッチ３３が設けられている。電源スイッチ３３の後面側Ｄが第１開口部４９を介して、本体４３の内部へ突出する様に、第１固定板４４は電源スイッチ３３を固定している。電源スイッチ３３の前面側Ｃが露出する様に、第１固定板４４は本体４３に対し着脱自在に固定されている。
【００７１】
次に、主に図５と図６に従い、表示装置１に用いられる第２固定板６２およびその周辺の構成を説明する。図５は図２のＢ１−Ｂ２断面図、図６（ａ）は第２固定板６２の側面図、図６（ｂ）は第２固定板６２の平面図、図６（ｃ）は第２固定板６２の正面図である。
【００７２】
これら図において、第２コネクタ３２は前面側Ｃにて、２個の第２導電筒３２ａが形成されている。２個の第２の導電筒３２ａは所定の間隔を置いて、所定の形状（例えば、円筒形）に形成されている。必要に応じて、第２コネクタ３２は３個の導電筒を有しても良い（その内、１本は接地用）。
【００７３】
また第２コネクタ３２は、ケーブル等を介して、他の機器（共に図示せず）に電源を供給するものである。この様に、第２コネクタ３２は、前面側Ｃに、所定形状の（例えば、円筒状の）第２導電筒３２ａが形成され、第１コネクタ３１に電気的接続されたものである。
【００７４】
取付板４０の右端はボルトにより、第２補強板３６の左側に固定されている。本体の後部４１は、クランク状（段付き状）に形成されている（図５参照）。本体後部４１の上部は、ボルトにより、第２補強板３６の右側に固定されている。
【００７５】
本体の後部４１において、第２立壁部６３は、上部と下部をつなぐ垂直の部分である。第４開口部６４は、第２立壁部６３に形成され、略四角状の窓である。
【００７６】
第２固定板６２は例えば金属板等からなる。図４と図５に示す通り、第２固定板６２は例えば、第２水平部６５と、第２垂直部６６と、折曲部６７と、第５開口部６８等が形成されている。
【００７７】
第２垂直部６６は第２水平部６５に対し、垂直に折り曲げられている。第５開口部６８は第２垂直部６６において、所定の形状の窓である（図６参照）。
【００７８】
本体の後部４１の適所において、第６開口部６９が形成されている。第２固定板６２の曲げ部７１と、第６開口部６９の右辺との間に、隙間７０が設けられている。
【００７９】
第２コネクタ３２は、本体の後部４１に形成された第５開口部６８に挿入され第２固定板６２に固定されている。
【００８０】
作業者は、第２コネクタ３２を固定した第２固定板６５を前面側Ｃに移動させ第２固定板６５に形成された凹部７２を、第６開口部６９の中に入れる。
【００８１】
そして作業者は、凹部７２が右上がりになる様に、第２固定板６２を傾ける。その結果、折曲部６７の位置は下がり、作業者が第２固定板６２を傾けた状態で後面側Ｄに、第２固定板６２を移動させる。
【００８２】
それ故に、折曲部６７の上端は、第２立壁部６３の下端を通過し、折曲部６７は第２立壁部６３の内面に当接する。
【００８３】
次に、作業者は、第２締結部品（例えば、ボルト等）７３を、第２固定板６２の第２水平部６５に形成された孔に貫通させ、本体４３の後部４１に形成された孔に締結させる。この様に、第２固定板６２は本体４３に対し、容易に取り付けられる。
【００８４】
即ち、第２水平部６５は第２締結部品７３により、本体の後部４１に固定されている。そして、折曲部６７は、第４開口部６４の近傍に位置する第２立壁部６３の内面に当接して固定されている。
【００８５】
この様にして、第２コネクタ３２の後面側Ｄが第４開口部６４を介して本体４３の内部へ突出する様に、第２コネクタ３２を固定する第２固定板６２が設けられている。そして、第２コネクタ３２前面側Ｃが露出する様に、第２固定板６２は本体４３に対し、着脱自在に固定されている。
【００８６】
即ち、第２固定板４４を取り外す場合は、作業者は第２締結部品７３を外し、凹部７２が右上がりになる様に傾けて、折曲部６７を第２立壁部６３の内面から外す。そして、作業者は第２固定板４４を前面側Ｃへ移動させる事により、本体４３から第２固定板４４を容易に取外すことができる。また、第２固定板６２を本体４３に対し、取り付ける作業は、既に、述べた通りである。以上の部品により、この表示装置１は構成されている。
【００８７】
【発明の効果】
請求項１の本発明では、第１開口部が形成された箱状の本体と、前記本体内に配置された液晶パネルと、前面側に、所定形状の導電ピン又は導電筒が形成され、前記液晶パネル用の電源を供給するための第１コネクタと、前記第１コネクタの後面側が前記第１開口部を介して、前記本体の内部へ突出する様に、前記第１コネクタを固定する第１固定板とを備え、前記第１コネクタの前面側が露出する様に、前記第１固定板は前記本体に対し、着脱自在に固定された。上記構成により仕向地に適合した第１コネクタを固定する第１固定板は着脱自在に固定されるので、仕向地が変更された場合も、第１コネクタの交換作業は容易となる。
【００８８】
請求項２の本発明では、前記第１コネクタに電気的接続された電源スイッチを設け、前記電源スイッチの後面側が前記第１開口部を介して前記本体の内部へ突出する様に、前記第１固定板は前記電源スイッチを固定し、前記電源スイッチの前面側が露出する様に、前記第１固定板は前記本体に対し、着脱自在に固定された。上記構成により、仕向地が変更された場合も、当該仕向地に適合した電源スイッチの交換作業は容易となる。
【００８９】
請求項３の本発明では、前記本体に第１立壁部が形成され、前記第１開口部は前記第１立壁部に形成され、前記第１固定板は、第１水平部と第１垂直部と爪と第２開口部と第３開口部が形成され、前記第１コネクタは前記第２開口部に挿入され固定され、前記電源スイッチは前記第３開口部に挿入され固定され、前記第１水平部は第１締結部品により前記本体の後部に固定され、前記爪は、前記第１開口部近傍に位置する前記第１立壁部に挟まれ固定された。上記構成により、爪をスライドさせる事により、爪と第１立壁部との係合又は解除を容易に行う事ができる。
【００９０】
請求項４の本発明では、前記本体に第４開口部が形成され、前面側に、所定形状の第２導電筒が形成され、前記第１コネクタに電気的接続された第２コネクタを設け前記第２コネクタの後面側が前記第４開口部を介して前記本体の内部へ突出する様に、前記第２コネクタを固定する第２固定板とを備え、前記第２コネクタの前面側が露出する様に、前記第２固定板は前記本体に対し、着脱自在に固定された。上記構成により、仕向地が変更された場合も、当該仕向地に適合した第２コネクタの交換作業が容易となる。
【００９１】
請求項５の本発明では、前記本体に第２立壁部が形成され、前記第４開口部は前記第２立壁部に形成され、前記第２固定板は第２水平部と第２垂直部と折曲部と第５開口部が形成され、前記第２コネクタは前記第５開口部に挿入され固定され、前記第２水平部は前記第２締結部品により前記本体の後部に固定され、前記折曲部は、前記第４開口部近傍に位置する前記第２立壁部の内面に当接して固定された。上記構成により、折曲部を移動させる事により、折曲部と第２立壁部との係合又は解除を容易に行う事ができる。
【図面の簡単な説明】
【図１】本発明の実施の形態に係る表示装置１のブロック図である。
【図２】後板を外した時の、表示装置１を裏から見た図面である。
【図３】図２のＡ１−Ａ２断面図である。
【図４】図４（ａ）は第１固定板４４の平面図、図４（ｂ）は第１固定板４４の正面図図４（ｃ）は第１固定板４４の側面図である。
【図５】図２のＢ１−Ｂ２断面図である。
【図６】図６（ａ）は第２固定板６２の側面図、図６（ｂ）は第２固定板６２の平面図図６（ｃ）は第２固定板６２の正面図である。
【符号の説明】
１７  液晶パネル
３１  第１コネクタ
４３  本体
４４  第１固定板
４５  導電ピン
４５ａ  中空部
４９  第１開口部
【図１】
2004328612.tif 000003
【図２】
2004328612.tif 000004
【図３】
2004328612.tif 000005
【図４】
2004328612.tif 000006
【図５】
2004328612.tif 000007
【図６】
2004328612.tif 000008